(57)【要約】【課題】  電話の呼び出しに応答することなく、簡略な操作で家庭内の電気機器等を遠隔制御することができる遠隔制御装置を提供する。【解決手段】  信号処理部１０の周波数検出部、周波数比較部２１が電話の特定の着信音を検出し、着信音継続時間測定部２２および継続時間比較部２３がその着信音の継続時間およびそれに応じて発生すべき制御信号を判定する。利用者は携帯電話から家庭内の電話機に電話をかけて所定時間呼び出して切断するのみでよく、操作が簡略なうえ課金されない。また、自己の携帯電話機の電話番号に対してのみ発生される着信音を登録しておくことでセキュリティを維持することができる。【選択図】  図１
2005064836.tif 000002
【特許請求の範囲】
【請求項１】
外部入力された音声から電話の特定の着信音を検出する着信音検出手段と、
前記特定の着信音の継続時間を計測する継続時間計測手段と、
前記継続時間計測手段が計測した継続時間に応じて、外部機器を制御するための制御信号を発生する制御信号発生手段と、
を備えた遠隔制御装置。
【請求項２】
前記制御信号発生手段は、複数段階の継続時間に応じて複数種類の制御信号を発生する請求項１に記載の遠隔制御装置。
【請求項３】
前記着信音検出手段は、複数種類の着信音を識別して検出する手段であり、
前記制御信号発生手段は、検出された着信音の種類に基づいてそれぞれ異なる制御信号を発生する請求項１または請求項２に記載の遠隔制御装置。
【発明の詳細な説明】
【技術分野】
【０００１】
この発明は、電話の着信音を利用して家庭内の機器を遠隔制御する遠隔制御装置に関する。
【背景技術】
【０００２】
従来より電話機を利用して家庭内の種々の電気機器を遠隔制御するための装置が提案されている。その一例として特許文献１に示すような装置がある。
【０００３】
この装置は、家庭内に宅内制御装置を設置しておき、利用者は携帯電話機を用いて外出先から宅内制御装置に電話を掛けてパスワード等を入力してログインし、制御コマンドを送信することによって、宅内制御装置が宅内の種々の機器に対して制御信号を出力するようにしたものである。
【特許文献１】特開２００２−２９１０５７号公報
【発明の開示】
【発明が解決しようとする課題】
【０００４】
しかし、上記従来の装置では、遠隔操作のために外出先の利用者がパスワード認証や制御コマンドの入力等をする必要があり操作が面倒なうえ、携帯電話機にそのような信号を送信するための「交信機能（特許文献１の段落００１５〜００１７参照）が必要となるうえ、宅内制御装置は外部からの呼び出しに対して応答（フックオフ）するため、電話料金が課金され、遠方から電話をかけた場合には高額の電話料金がかかってしまうという問題点があった。
【０００５】
この発明は、電話の呼び出しに応答することなく、簡略な操作で家庭内の電気機器等を遠隔制御することができる遠隔制御装置を提供することを目的とする。
【課題を解決するための手段】
【０００６】
この発明は、外部入力された音声から電話の特定の着信音を検出する着信音検出手段と、前記特定の着信音の継続時間を計測する継続時間計測手段と、前記継続時間計測手段が計測した継続時間に応じて、外部機器を制御するための制御信号を発生する制御信号発生手段と、を備えたことを特徴とする。
【０００７】
また、この発明は、前記制御信号発生手段が、複数段階の継続時間に応じて複数種類の制御信号を発生することを特徴とする。
【０００８】
また、この発明は、前記着信音検出手段が、複数種類の着信音を識別して検出し、前記制御信号発生手段が、検出された着信音の種類に基づいてそれぞれ異なる制御信号を発生することを特徴とする。
【発明の効果】
【０００９】
この発明では、電話の特定の着信音（着信メロディ等）を検出し、この着信音の継続時間に基づいて外部機器を制御するための制御信号を発生する。着信音の継続時間に基づいて制御信号を発生するため、発信側は着信側の電話機に電話を掛けて所定時間呼出を継続したのち電話を切ればよい。また、発信側では着信音が聞こえないが操作に問題はない。また、着信側の電話機がオフフックしないため電話料金もかからない。
【００１０】
また、現在実用化されている携帯電話等では、発信相手に応じて着信音を切り換えることのできるものがあるが、これを利用すれば、掛ける電話機によって制御内容を異ならせることも可能であり、また、電話番号によって発信者を特定することができるため、セキュリティも維持することができる。
【００１１】
このようにこの発明によれば、電話の着信音によって種々の機器を制御することができ、この場合に、電話がオフフックされることもないので、電話料金が課金されることもない。また、特定の電話番号に応じて発生される着信メロディのみで動作するように設定しておけば、操作できる電話機を制限することができ、セキュリティを維持することもできる。
【発明を実施するための最良の形態】
【００１２】
図１はこの発明の実施形態である遠隔制御装置のブロック図である。この遠隔制御装置は、家庭内に設置され、電話の着信音（着信メロディ等）を検出し、その着信音の継続時間に応じて被制御装置（家電装置等）を制御するための制御信号を発生する装置である。電話機は、固定型・携帯型を問わない。また、遠隔制御装置から被制御装置への制御信号の伝達は、ケーブルを介して行っても、電波、赤外線等のワイヤレスで行ってもよい。伝送の手順は一般的な赤外線リモコンフォーマット、ＬＡＮの通信手順、ＢｌｕｅＴｏｏｔｈ等どのような手順で行ってもよい。
【００１３】
遠隔制御装置は、上記の動作を実行するため、信号処理部１０、マイクロホン１１、メモリ１２、制御信号発生部１３およびＡ／Ｄコンバータ１４を備えている。信号処理部１０は、たとえばＤＳＰで構成され、マイクロホン１１から入力された信号の周波数に基づいて電話の着信音（着信メロディ）を検出するとともに、その継続時間を計測する。メモリ１２は、登録メロディテーブル１２ａおよび登録時間テーブル１２ｂを有しており、登録メロディテーブル１２ａには所定の着信メロディの音高列が記憶され、登録時間テーブル１２ｂには上記登録された着信メロディの継続時間と発生すべき制御信号の種類が対応づけて記憶される。
【００１４】
この登録メロディテーブル１２ａおよび登録時間テーブル１２ｂの例を図２（Ａ），（Ｂ）に示す。図２（Ａ）では、着信メロディとなる音高列が２つ登録されている。この実施形態では、音高のみで着信メロディを検出・識別するようにしているが、音高に加えて音長等をチェックするようにしてもよい。また、この登録着信メロディは絶対音高で記述されているが、検出は相対音程（移動ド）で行ってもよい（後述のフローチャートでは相対音程で検出している）。なお、音高のみで着信メロディを検出するようにしたことにより、検出部の構成を簡略化することが可能になる。各音の音長やリズムを判定するようにしてもよいが、着信メロディは簡略なメロディであり、家庭内で他に同じ音高が発生する可能性も低いため、この検出方式で十分である。
【００１５】
また、図２（Ｂ）では、着信メロディとその継続時間に応じて発生すべき制御信号が登録されている。着信音の継続時間は発信側で正確に制御することが困難であるため、時間幅を持たせて設定されている。
【００１６】
図１において、マイクロホン１１から入力された音声信号はＡ／Ｄコンバータ１４によってデジタル信号に変換されて信号処理部１０に入力される。信号処理部１０では、入力されたデジタル音声信号を周波数検出部２０で周波数分析し、その周波数を周波数比較部２１で登録されたメロディと比較する。検出された周波数が登録メロディの音高と一致したとき着信メロディが発生していると判定して、メロディ継続時間測定部２２がそのメロディの継続時間を測定する。
【００１７】
入力される音声信号の周波数（およびその変化）が登録メロディテーブルに登録されている音高列と一致している間は、メロディ継続時間測定部２２がメロディの継続時間を測定し、メロディと一致する周波数の信号の入力がなくなったとき、それまでの継続時間を継続時間比較部２３に入力する。継続時間比較部２３は、検出されたメロディの種類とその継続時間で登録時間テーブル１２ｂを検索し、発生すべき制御信号の種類を割り出し、この制御信号の種類を制御信号発生部１３に出力する。制御信号発生部１３は、信号処理部１２（時間比較部２３）から指示された制御信号を発生して被制御装置２を制御する。
【００１８】
ここで、制御信号発生部１３を、たとえば赤外線リモコン信号発生装置で構成すれば、赤外線受光部を備えた被制御装置を赤外線リモコン信号で制御することができる。また、家庭内ＬＡＮで電気機器が接続されている場合には、制御信号発生部１３はＬＡＮを介して目的の電気機器にコマンドパケットを送信する装置として構成すればよい。
【００１９】
図３は前記遠隔制御装置の動作を示すフローチャートである。ｓ１で入力された音声信号から安定した周波数の信号（楽音）が検出されたとき、ｓ２以下の動作を実行する。ｓ２では、この周波数を記録する。そして、この周波数の楽音の検出が終了するまで継続時間を更新（カウントアップ）する（ｓ３，ｓ４）。この楽音の検出が終了すると、この楽音が１音目であったか２音目以後であったかを判断する（ｓ５）。１音目であった場合には前音がないため、そのままｓ１にもどって次の楽音の周波数を検出する。
【００２０】
検出された楽音が２音目以後の場合には、その前の楽音と周波数を比較して相対音程を検出し（ｓ６）、この音程を登録メロディテーブル１２ａに記憶している音程と比較する（ｓ７）。このとき、複数の着信メロディが登録されている場合には、どの着信メロディであるかも判定する。相対音程が着信メロディの音程と一致している場合には（ｓ８）、そのまま（継続時間をリセットしないで）ｓ１にもどる。
【００２１】
複数の楽音が検出されたが、これが着信メロディの音高列と一致していない場合には、それまでの蓄積時間をリセットして（ｓ１３）。新たな周期信号を検出するためにｓ１にもどる。
【００２２】
ｓ１において、安定した周期信号（楽音）が検出されないときには、継続時間が０より大きいか、すなわちそれまで着信メロディが検出されていたかを判定する（ｓ１０）。継続時間が０の場合（着信メロディが検出されていないとき）には、そのままｓ１にもどる。すなわち、ｓ１、ｓ１０がこの処理動作における待機ルーチンとなる。
【００２３】
ｓ１０において、継続時間が０よりも大きい場合には、それまで検出されていた着信メロディのメロディ番号と継続時間に基づいてどの制御信号を発生するかを選択し（ｓ１１）、この選択された制御信号を制御信号発生部１３が発生する（ｓ１２）。こののち、継続時間をリセットして（ｓ１３）。ｓ１にもどる。
【００２４】
以上の処理により、遠隔から家庭内の電話機に電話を掛けて着信メロディを発生させることによって、種々の機器を制御することが可能になる。
【００２５】
なお、この実施形態では、音高のみに基づいて着信メロディを検出しているが、音高に加えて音長もチェックするようにしてもよい。この場合、着信メロディが途中で終わった場合、最後の楽音は所定の長さよりも短くなるので、最後の楽音のみ音長のチェックを行わないようにすればよい。
【００２６】
また、着信音はメロディでなくても特定の効果音であってもよい。さらに、図１では、着信音をマイクロホンからＡ／Ｄコンバータに入力しているが、電話機にヘッドホン端子等着信音を出力できる端子等があればそこから直接入力するようにしてもよい。この場合には、外部音の影響を受けることがない。
【図面の簡単な説明】
【００２７】
【図１】この発明の実施形態である遠隔制御装置のブロック図
【図２】同遠隔制御装置の登録メロディテーブルおよび登録時間テーブルを示す図
【図３】同遠隔制御装置の動作を示すフローチャート
【符号の説明】
【００２８】
１…遠隔制御装置
２…被制御装置
３…（家庭内の）電話機
４…利用者の携帯電話機
１０…信号処理部
１１…マイクロホン
１２…メモリ
１２ａ…登録メロディテーブル
１２ｂ登録時間テーブル
１３…制御信号発生部
１４…Ａ／Ｄコンバータ
２０…周波数検出部
２１…周波数比較部
２２…メロディ継続時間測定部
２３…継続時間比較部
【図１】
2005064836.tif 000003
【図２】
2005064836.tif 000004
【図３】
2005064836.tif 000005